(57)【特許請求の範囲】
【請求項１】
フレキシブルディスプレイの変形を制御するフレキシブルディスプレイの変形制御システムであって、
前記フレキシブルディスプレイは、フレキシブルスクリーン本体と、前記フレキシブルスクリーン本体の裏面に貼り付けられた金属層と、前記金属層に塗布された電流制御変形層とを含み、
前記フレキシブルディスプレイは、さらに電力供給回路と電流調整回路とを含み、前記電力供給回路は、電流調整回路を経て前記金属層と電気的に接続され、
前記フレキシブルディスプレイの変形制御システムは、前記金属層に流れる電流の大きさを制御して、前記電流制御変形層を軟化または硬化させる硬度調節モジュールを含み、
前記硬度調節モジュールが、前記電流制御変形層を軟化させたときの硬度は、前記フレキシブルディスプレイの変形が実施されるときに前記フレキシブルディスプレイが変形可能な硬度であり、
前記硬度調節モジュールが、前記電流制御変形層を硬化させたときの硬度は、前記フレキシブルディスプレイの変形が実施されることにより形成された前記フレキシブルディスプレイの変形を固定可能な硬度である、
フレキシブルディスプレイの変形制御システム。
【請求項２】
前記電流制御変形層は、電気粘性流体、或いは金属水和物から選択された材料により構成されることを特徴とする請求項１に記載のフレキシブルディスプレイの変形制御システム。
【請求項３】
前記硬度調節モジュールは、
硬度調節操作を検出する検出ユニットと、
前記検出ユニットから前記硬度調節操作を受信し解釈して、それに応じた電流調節信号を生成する解釈ユニットとを含むことを特徴とする請求項１に記載のフレキシブルディスプレイの変形制御システム。
【請求項４】
前記硬度調節モジュールは、
前記解釈ユニットからの前記電流調節信号を受信して、前記電流調節信号に従って、対応する電流が出力されるように電流調整回路を駆動する駆動ユニットをさらに含むことを特徴とする請求項３に記載のフレキシブルディスプレイの変形制御システム。
【請求項５】
前記フレキシブルディスプレイに硬度調節操作インタフェースを表示する表示モジュールをさらに含むことを特徴とする請求項３に記載のフレキシブルディスプレイの変形制御システム。
【請求項６】
前記表示モジュールは、さらに、前記硬度調節操作インタフェースにおいて、現在の硬軟の度合を示す指示器を形成することに利用されることを特徴とする請求項５に記載のフレキシブルディスプレイの変形制御システム。
【請求項７】
フレキシブルディスプレイの変形を制御するフレキシブルディスプレイの変形制御方法であって、
前記フレキシブルディスプレイは、フレキシブルスクリーン本体と、前記フレキシブルスクリーン本体の裏面に貼り付けられた金属層と、前記金属層上に塗布されてなる電流制御変形層とを含み、
前記フレキシブルディスプレイは、さらに電力供給回路と電流調整回路とを含み、前記電力供給回路は、電流調整回路を経て前記金属層と電気的に接続され、
前記変形制御方法は、
前記電流調整回路によって前記金属層に流れる電流の大きさを制御して前記電流制御変形層を軟化させるステップと、
前記フレキシブルディスプレイの変形が実施されることにより前記フレキシブルディスプレイを所望の形状に変形するステップと、
前記電流調整回路によって前記金属層に流れる電流を制御して、前記フレキシブルディスプレイの変形が実施されることにより形成された前記フレキシブルディスプレイの変形を固定可能な硬度に前記電流制御変形層を硬化させるステップとを含む、フレキシブルディスプレイの変形制御方法。
【請求項８】
前記電流制御変形層は、電気粘性流体、或いは金属水和体から選択された材料より構成されることを特徴とする請求項７に記載のフレキシブルディスプレイの変形制御方法。
【請求項９】
前記金属層に流れる電流の大きさを制御するステップは、
電流調節信号を受信するステップと、
前記電流調節信号に従って、対応する電流が出力されるように電流調整回路を駆動するステップとを含むことを特徴とする請求項７に記載のフレキシブルディスプレイの変形制御方法。
【請求項１０】
前記フレキシブルディスプレイに対する硬度調節操作を検出するステップと、
前記硬度調節操作を解釈してそれに応じた電流調節信号を生成するステップとをさらに含むことを特徴とする請求項８に記載のフレキシブルディスプレイの変形制御方法。
【請求項１１】
前記フレキシブルディスプレイ上に硬度調節操作インタフェースを表示するステップをさらに含むことを特徴とする請求項９に記載のフレキシブルディスプレイの変形制御方法。
【請求項１２】
前記硬度調節操作インタフェースにおいて、現在の硬軟の度合を示す指示器を形成するステップをさらに含むことを特徴とする請求項９に記載のフレキシブルディスプレイの変形制御方法。
【発明の詳細な説明】
【技術分野】
【０００１】
本発明は、フレキシブルディスプレイの技術分野に関し、特にフレキシブルディスプレイの変形制御方法およびフレキシブルディスプレイの変形制御システムに関するものである。
【背景技術】
【０００２】
材料技術の発展に伴い、ディスプレイは、フレキシブルな形態として製造することができる。フレキシブルディスプレイを使うデバイスは、様々なメリットがある。例えば、持ち運びが容易で、湾曲可能、任意に変形可能等である。但し、現在のフレキシブルディスプレイを持つデバイス自身は、例えば確実に支持できず、操作性と実用性が悪く、「フレキシブル」という特徴が実現できないという欠点を有している。
【０００３】
従来の解決方法として、例えば、フレキシブルディスプレイを固定形状（例えば曲面）の支持体に取り付けることが提案されているが、この方法では、フレキシブルディスプレイの貼り付け性が良いという特徴を利用するだけで、その効果も曲面において表示することができるのみで、フレキシブルディスプレイ自身の自由変形可能という特徴を充分活用していない。
【発明の概要】
【発明が解決しようとする課題】
【０００４】
このため、フレキシブルディスプレイの変形を制御することができる方法を提供する必要がある。
さらに、フレキシブルディスプレイの変形を制御することができるシステムを提供する必要がある。
【課題を解決するための手段】
【０００５】
フレキシブルディスプレイの変形を制御するフレキシブルディスプレイの変形制御システムであって、前記フレキシブルディスプレイは、フレキシブルスクリーン本体と、前記フレキシブルスクリーン本体の裏面に貼り付けられた金属層と、前記金属層上に塗布された電流制御変形層とを含み、前記フレキシブルディスプレイは、さらに電力供給回路と電流調整回路とを含み、前記電力供給回路は、電流調整回路を介して前記金属層と電気的に接続され、
前記フレキシブルディスプレイの変形制御システムは、前記金属層に流れる電流の大きさを制御して前記電流制御変形層を軟化または硬化させる硬度調節モジュールを含む。
その一実施例において、前記電流制御変形層は、電気粘性流体、或は金属水和物から選択された材料より構成される。
その一実施例において、前記硬度調節モジュールは、
硬度調節操作を検出する検出ユニットと、前記検出ユニットから前記硬度調節操作を受信し解釈して、それに応じた電流調節信号を生成する解釈ユニットを含む。
その一実施例において、前記硬度調節モジュールはさらに、
前記解釈ユニットからの前記電流調節信号を受信して、前記電流調節信号に従って、対応する電流が出力されるように電流調整回路を駆動する駆動ユニットを含む。
その一実施例において、前記フレキシブルディスプレイに硬度調節操作インタフェースを表示する表示モジュールをさらに含む。
その一実施例において、前記表示モジュールは、さらに前記硬度調節操作インタフェースにおいて、現在の硬軟の度合を示す指示器を形成することに利用される。
フレキシブルディスプレイの変形を制御するフレキシブルディスプレイの変形制御方法であって、前記フレキシブルディスプレイは、フレキシブルスクリーン本体と、前記フレキシブルスクリーン本体の裏面に貼り付けられた金属層と、前記金属層上に塗布された電流制御変形層とを含み、前記フレキシブルディスプレイは、さらに電力供給回路と電流調整回路とを含み、前記電力供給回路は、電流調整回路を介して前記金属層と電気的に接続され、
前記変形制御方法は、
前記電流調整回路によって前記金属層に流れる電流の大きさを制御して前記電流制御変形層を軟化させるステップと、
前記フレキシブルディスプレイを湾曲或いは折りたたみ等により所望の形状にするステップと、
前記電流調整回路によって前記金属層に流れる電流の大きさを制御して前記電流制御変形層を硬化させるステップとを含む。
その一実施例において、前記電流制御変形層は、電気粘性流体、或いは金属水和物から選択された材料により構成される。
その一実施例において、前記金属層に流れる電流の大きさを制御するステップは、
電流調節信号を受信するステップと、
前記電流調節信号に従って、対応する電流が出力されるように電流調整回路を駆動するステップとを含む。
その一実施例において、さらに、
前記フレキシブルディスプレイに対する硬度調節操作を検出するステップと、
前記硬度調節操作を解釈してそれに応じた電流調節信号を生成するステップとを含む。
その一実施例において、さらに前記フレキシブルディスプレイに硬度調節操作インタフェースを表示するステップを含む。
その一実施例において、前記硬度調節操作インタフェースにおいて、現在の硬軟の度合を示す指示器を形成するステップを含む。
【発明の効果】
【０００６】
上記フレキシブルディスプレイの変形制御方法及びシステムは、電流調整回路により金属層に流れる電流の大きさを調節し、さらに電流制御変形層を軟化或いは硬化させる際に必要な電流を提供して、フレキシブルディスプレイを軟化させて必要な形状に変形させることができ、その後形状を固定して変形の目的を実現できる。
【図面の簡単な説明】
【０００７】
【図１】図１は、フレキシブルディスプレイの積層構成を示す図である。
【図２】図２は、片状金属層の形状を示す図である。
【図３】図３は、網状金属層の形状を示す図である。
【図４】図４は、本発明のフレキシブルディスプレイの変形制御方法のフローチャートを示す図である。
【図５（ａ）】図５（ａ）は、一形状のディスプレイを示す図である。
【図５（ｂ）】図５（ｂ）は、他形状のディスプレイを示す図である。
【図６】図６は、図４に示されたステップＳ１０１或いはＳ１０３のフローチャートを示す図である。
【図７】図７は、本発明のフレキシブルディスプレイの変形制御システムを構成するモジュールを示す図である。
【発明を実施するための形態】
【０００８】
以下では、図面と実施例を参照しながら本発明を詳細に説明する。
図１は、フレキシブルディスプレイの積層構成を示す図である。当該フレキシブルディスプレイ１０は、積層して設置されたフレキシブルスクリーン本体１００と、金属層２００と、変形材料塗布層３００とを含む。
フレキシブルスクリーン本体１００は、可撓性材料で製作されて、湾曲或いは折りたたみが可能なディスプレイ構造である。金属層２００は、フレキシブルスクリーン本体１００の裏面に貼付けられて、正、負極ピンが引き出されている。金属層２００は、正、負極ピンを経て外部から電力を取得できる。金属層２００は、フレキシブルスクリーン本体１００の裏面に貼付けられて、変形材料塗布層３００は、金属層２００上に塗布される。変形材料塗布層３００は、電流制御変形層である。前記電流制御変形層は、電気粘性流体、金属水和物、或いは電流の大きさにより自身の硬度変更が制御されるその他の材料により構成される。
【０００９】
具体的には、図２のように、金属層２００は、厚さが２０μm未満の片状金属層であるため、薄い金属層２００は、フレキシブルスクリーン本体１００の湾曲に対しあまり影響がない。図３に示すように、前記金属層２００は、金属網構造に形成されてもよい。金属層２００は、物理蒸着、スクリーン印刷の方法でフレキシブルスクリーン本体１００の裏面に形成されてもよい。また、変形材料をコーティングとして製作し、ペインティングによってフレキシブルスクリーン本体１００の裏面に形成して、変形材料塗布層３００を形成する。
【００１０】
当該フレキシブルディスプレイ１０は、さらに電力供給回路（図示しない）と電流調整回路（図示しない）とを含み、前記電力供給回路は、電流調整回路を経て金属層２００と電気的に接続され、電流が金属層２００を流れる際に、変形材料塗布層３００にも電流が流れる。
【００１１】
上記フレキシブルディスプレイ１０の構造に基づいて、当該フレキシブルディスプレイの変形制御方法を提供する。図４のように、当該方法は以下のステップを含む。
【００１２】
ステップＳ１０１：前記金属層を流れる電流の大きさを制御して前記電流制御変形層を軟化させる。電流制御変形層の性質によって、電流を大きくするか小さくするかにより前記電流制御変形層を軟化させる。例えば、本実施例において、電流を大きくする際に変形材料層が固くなり、電流を小さくする際に変形材料層が柔軟になる。このため、本ステップにおいて、電流を小さくする。他の実施例においては、逆に電流を大きくする例もある。
【００１３】
ステップＳ１０２：前記フレキシブルディスプレイを湾曲或いは折りたたみにより必要な形状にする。例えば円柱形の曲面に湾曲させる。前記電流制御変形層が軟化した後、金属層２００とフレキシブルスクリーン本体１００が何れも湾曲或いは折りたたみができるため、フレキシブルディスプレイ１０全体が湾曲或いは折りたたみ可能である。変形材料塗布層３００の硬度が湾曲可能或いは折りたたみ可能な状態に調節された時、フレキシブルディスプレイ１０は、図１に示すような湾曲が実現できる。
【００１４】
ステップＳ１０３：前記金属層に流れる電流の大きさを制御して前記電流制御変形層を硬化させる。電流制御変形層の性質に従い、電流を大きくするか小さくするかにより前記電流制御変形層を硬化させる。例えば、本実施例において、電流を大きくする際に変形材料層が固くなり、電流を小さくする際に変形材料層が柔軟になる。このため、本ステップにおいて、電流を大きくする。他の実施例において、逆に電流を小さくする例もある。所望の形状に形成した後、前記電流制御変形層を硬化させ、フレキシブルディスプレイ１０を所望の形状に固定させることができる。変形材料塗布層３００の硬度が支持可能な状態に調節された時、前記フレキシブルディスプレイ１０は、支持体の形態に固定される。当該形態は、例えば前記フレキシブルディスプレイ１０が一回または二回以上折りたたまれた後に形成されたＶ形、Ｚ形、Ｓ形等のその他の三次元形状である。
【００１５】
変形材料塗布層３００の硬軟の度合を調節することによりフレキシブルディスプレイ１０の形状を固定する。具体的には、まず変形材料塗布層３００を調節して任意変更可能な柔軟状態にし、それからフレキシブルディスプレイ１０全体を所望の形状に形成し、最後に変形材料塗布層３００を調節して固化させることによって、フレキシブルディスプレイ１０を所望の形状に固定する。例えば、図５（ａ）に示すように、まずフレキシブルディスプレイ１０を曲面形状に湾曲させ、それから電流を調節して変形材料塗布層３００を固化し、最後にフレキシブルディスプレイ１０の形状を曲面形状に固定する。また、例えば図５（ｂ）に示すように、まずフレキシブルディスプレイ１０をある角度をなす二つの部分に折り曲げて、それから電流を調節して変形材料塗布層３００を固化し、最後にフレキシブルディスプレイ１０の形状を折り曲げた形状に固定する。
【００１６】
図６に示すように、ステップＳ１０１とステップＳ１０３とにおいて、前記金属層に流れる電流の大きさを制御するステップは、さらに以下のステップを含む。
【００１７】
ステップＳ１１１：前記フレキシブルディスプレイに硬度調節操作インタフェースを表示する。
ステップＳ１１２：例えばフリックというタッチ操作或いは機械的ボタン操作等の硬度調節操作を検出する。
ステップＳ１１３：前記硬度調節操作を解釈してそれに応じた電流調節信号を生成する。
ステップＳ１１４：電流調節信号を受信する。
ステップＳ１１５：前記電流調節信号に従って電流調整回路を駆動して、対応する電流を出力させる。
ステップＳ１１１は、さらに前記硬度調節操作インタフェース上に現在の硬軟の度合を示す指示器を形成するステップを含んでもよい。
【００１８】
図７に示すように、本発明のフレキシブルディスプレイの変形制御システムは、硬度調節モジュール２０と表示モジュール３０とを含む。硬度調節モジュール２０は、前記金属層に流れる電流の大きさを制御して前記電流制御変形層を軟化または硬化させる。表示モジュール３０は、前記フレキシブルディスプレイに硬度調節操作インタフェースを表示する。表示モジュール３０は、さらに前記硬度調節操作インタフェースにおいて、現在の硬軟の度合を示す指示器を形成することができる。
【００１９】
硬度調節モジュール２０は、検出ユニット２１０と、解釈ユニット２２０と、駆動ユニット２３０とを含む。検出ユニット２１０は、硬度調節操作を検出する。解釈ユニット２２０は、前記硬度調節操作を解釈してそれに応じた電流調節信号を生成する。駆動ユニット２３０は、電流調節信号を受信して、前記電流調節信号に従って、対応する電流が出力されるように電流調整回路を駆動する。
【００２０】
上記フレキシブルディスプレイの変形制御方法及びシステムは、電流調整回路により金属層に流れる電流の大きさを調節し、電流制御変形層を軟化或いは硬化させる際に必要な電流を提供して、フレキシブルディスプレイを軟化させて所望の形状に変形させることができ、その後、形状を固定させれば変形目的を達成できる。
【００２１】
上記方法及びプロセスは、具体的にコード及び／或いはデータとして表現することができ、それをコンピュータ読取可能な記録媒体に記憶してよい。コンピュータシステムは、コンピュータ読取可能な記録媒体に記憶されたコード及び／或いはデータを読み取って実行する際に、当該コンピュータシステムは、コンピュータ読取可能な記録媒体に記憶されたデータ構造及びコードが表現した方法及びプロセスを実行する。
【００２２】
そのほか、上記方法及びプロセスを、ハードウェアモジュール或いは装置に含ませてもよい。当該モジュール或いは装置は、特定用途向け集積回路（ASIC）チップ、フィールドプログラマブルゲートアレイ（FPGA）、特定ソフトを実行するモジュール或いは特定時間帯に所定のコードを実行する専用或いは共通処理装置、及び／或いは既存の或いはこれから開発されるその他のプログラマブルロジックデバイスを含んでもよいが、これらに限定されない。当該ハードウェアモジュール或いは装置が起動させられた際に、それに含まれた方法及びプロセスを実現する。
【００２３】
以上のように、前記実施例の各技術的特徴は、任意に組み合わせてもよく、記述を簡潔にするために、上記実施例の各技術的特徴のあらゆる組み合わせを全て説明したわけではないが、各技術的特徴の組み合わせは、矛盾しない限り、本発明に含まれることは勿論である。
【００２４】
以上、本発明の好適な実施例を詳述してきたが、それらの実施例は、本発明の例示に過ぎないものであるため、本発明は、これらの実施例の構成に限定されるものではない。当業者が本発明の要旨を逸脱しない範囲で設計の変更等をしても本発明に含まれることは勿論である。すなわち、本発明の保護範囲は、特許請求の範囲によって定まる。
【図１】
0006445167.tif 000002
【図２】
0006445167.tif 000003
【図３】
0006445167.tif 000004
【図４】
0006445167.tif 000005
【図５（ａ）】
0006445167.tif 000006
【図５（ｂ）】
0006445167.tif 000007
【図６】
0006445167.tif 000008
【図７】
0006445167.tif 000009